(57)【特許請求の範囲】
【請求項１】
水平型のコークス室炉内で石炭を乾留するための装置であって、
・水平方向のコークス室が、上側の部分に、乾留時に発生するガスの一部を燃焼させる一次空気を流入させるための開口を備えており、
・コークス炉室底の下方に、外部に対して閉鎖された１つまたはそれ以上の煙道ガス通路が位置しており、該煙道ガス通路が、乾留プロセスに基づく部分燃焼させられたガスを捕集しかつ別の空気、いわゆる「二次空気」によって完全燃焼させるようになっており、
・コークス炉室が、乾留プロセスに基づく部分燃焼させられたガスを導出するための、いわゆる「ダウンカマー」通路を有しており、該「ダウンカマー」通路が、側方のコークス炉室壁にまたはコークス炉室ドアにまたはコークスケーキに組み込まれており、「ダウンカマー」通路が、コークス炉室のガス集合室を前記煙道ガス通路に接続するようになっており、
・該煙道ガス通路の下方に、いわゆる「二次空気通路」が位置しており、該「二次空気通路」が、外気に接続されていて、前記煙道ガス通路に少なくとも１つの接続通路によって鉛直方向で接続されており、該接続通路が、乾留プロセスに基づく部分燃焼させられたガスを完全燃焼させる二次空気を流入させるために働くようになっており、
・前記煙道ガス通路が、コークス炉の外部に位置する煙道ガス集合管に接続されており、該煙道ガス集合管で煙道ガスが、前記コークス炉を取り囲む外側雰囲気に供給されるようになっている形式のものにおいて、
・前記煙道ガス通路と前記二次空気通路との間の少なくとも１つの鉛直方向の前記接続通路が、前記煙道ガス通路と前記二次空気通路との間で二次空気通流量を調整する装置を備えており、
・前記煙道ガス通路の下方で、前記二次空気通路と、鉛直方向の前記接続通路と、前記二次空気通流量を調整する前記装置とによって、前記コークス炉室底の均一な加熱が可能になることを特徴とする、水平型のコークス室炉内で石炭を乾留するための装置。
【請求項２】
前記煙道ガス通路と前記二次空気通路との間に複数の鉛直方向の前記接続通路が位置しており、該接続通路が、前記煙道ガス通路と前記二次空気通路との間で前記二次空気通流量を調整する装置を備えている、請求項１記載の装置。
【請求項３】
前記煙道ガス通路への１つまたはそれ以上の鉛直方向の前記接続通路の開口が、高められて形成されているかまたは斜め面取りされて形成されている、請求項１または２記載の装置。
【請求項４】
前記煙道ガス通路と前記二次空気通路との間に位置する鉛直方向の前記接続通路が、１つの前記「ダウンカマー」通路の各流入開口の前方にまたは後方に０〜１ｍの間隔を置いて煙道ガス通路に開口している、請求項１から３までのいずれか１項記載の装置。
【請求項５】
前記二次空気通流量を調整する装置が、前記煙道ガス通路と前記二次空気通路との間の前記鉛直方向の接続通路内に配置されておらず、前記二次空気通路の上方に配置された鉛直方向の前記各接続通路の流入横断面の下方の前記二次空気通路内に直接配置されている、請求項１から４までのいずれか１項記載の装置。
【請求項６】
前記二次空気通路の下方に、前記煙道ガス通路に二次空気をより良好に供給するための別の二次空気通路が位置しており、該別の二次空気通路が、少なくとも１つの鉛直方向の前記接続通路に接続されている、請求項１から５までのいずれか１項記載の装置。
【請求項７】
少なくとも１つの前記二次空気通路が、空気入口に、ガス通流量を調整する装置を有している、請求項１から６までのいずれか１項記載の装置。
【請求項８】
煙道ガス通路が、互いに少なくとも１つの水平方向の通路に接続されている、請求項１記載の装置。
【請求項９】
少なくとも１つの前記水平方向の通路が、前記煙道ガス通路の間で煙道ガス流を調整するようになっている、請求項８記載の装置。
【請求項１０】
１つまたはそれ以上の前記二次空気通路が、個々に前記コークス室底を貫いて案内されるようになっていて、前記各煙道ガス通路にただ１つの通路によって鉛直方向で接続されており、該通路が、個々に二次空気を前記煙道ガス通路内に流入させるようになっている、請求項１記載の装置。
【請求項１１】
少なくとも１つの鉛直方向の前記接続通路が、個々に延びる前記二次空気通路の間に、前記煙道ガス通路と前記二次空気通路との間で前記二次空気通流量を調整する装置を備えているか、または個々に延びる前記二次空気通路が、前記煙道ガス通路と前記二次空気通路との間で前記二次空気通流量を調整する装置を備えている、請求項１０記載の装置。
【請求項１２】
ただ１つの通路によって前記煙道ガス通路に接続された少なくとも１つの前記二次空気通路が、空気入口に、ガス通流量を調整する装置を有している、請求項１０または１１記載の装置。
【請求項１３】
前記二次空気通路と前記煙道ガス通路との間で前記二次空気通流量を調整する装置が、スツールから成っており、該スツールが、スツールプレートに同心的に配置された開口を有しており、前記スツールが、前記二次空気通路内で水平方向に運動させられるようになっており、前記スツールが、前記スツールプレートによるガス通流量の減少または遮蔽のために、分岐した前記接続通路のガス通流路にわたって被せられるようになっており、前記スツールが、中心の開口による開放のために、分岐した接続通路の分岐部の下方に押し進められるようになっており、これによって、前記スツールが、分岐した鉛直方向の前記接続通路の横断面を所望の通流量に応じて減少させるかまたは拡張するようになっている、請求項１から１２までのいずれか１項記載の装置。
【請求項１４】
前記二次空気通路と前記煙道ガス通路との間で前記二次空気通流量を調整する装置が、開放された状態でガス案内する金属製の管から成っており、該管が、ガス通流に対して垂直な軸線を中心として回転可能な内側管を有しており、該内側管の回転運動によって、ガス流路が、徐々に開閉されるようになっている、請求項１から１２までのいずれか１項記載の装置。
【請求項１５】
前記二次空気通流量を調整する装置が、ボーデンケーブルまたはリンク機構によって運動させられるようになっており、該ボーデンケーブルまたは該リンク機構が、外部から操作されるようになっており、これによって、前記二次空気通流量が調整されるようになっている、請求項１から１２までのいずれか１項記載の装置。
【請求項１６】
前記二次空気通流量を調整する装置を運動させる装置が、手動で操作するための装置を有している、請求項１から１２までのいずれか１項記載の装置。
【請求項１７】
前記二次空気通流量を調整する装置を運動させる装置が、電気的な作動モータと、該作動モータに結合された操作装置とを有している、請求項１から１２までのいずれか１項記載の装置。
【請求項１８】
前記煙道ガス通路内にまたは前記二次空気通路内にまたは両通路の間に位置する前記接続通路内に、温度または酸素量または圧力に対する測定装置が位置している、請求項１から１７までのいずれか１項記載の装置。
【請求項１９】
鉛直方向の前記接続通路内に、前記二次空気と、前記乾留プロセスに基づく部分燃焼させられた前記ガスとの混合を改善するためのノズルが位置している、請求項１から１８までのいずれか１項記載の装置。
【請求項２０】
前記接続通路内に、前記二次空気と、前記乾留プロセスに基づく部分燃焼させられた前記ガスとの混合を改善するための渦流発生エレメントが位置している、請求項１から１８までのいずれか１項記載の装置。
【請求項２１】
請求項１から２０までのいずれか１項記載の装置を使用して、水平型のコークス室炉内で石炭を乾留するための方法であって、
・前記コークス室炉の上側の部分に設けられた開口を通して前記コークス室炉内に一次空気を流入させ、該一次空気によって、乾留時に発生したガスの一部を燃焼させ、
・部分燃焼させられたガスを「ダウンカマー」通路を介して、前記コークス炉室の下方に位置する煙道ガス通路内に案内し、
・該煙道ガス通路の下方に位置する二次空気通路内に別の空気、いわゆる「二次空気」を集め、そこから、１つまたはそれ以上の鉛直方向の接続通路を通して前記煙道ガス通路内に案内し、
・前記部分燃焼させられたガスを二次空気と前記煙道ガス通路内で混合しかつ完全燃焼させ、これによって、前記コークス炉室を下方から加熱して、水平型のコークス室炉内で石炭を乾留するための方法において、
・二次空気を前記二次空気通路から調整装置によって調量して前記煙道ガス通路内に案内し、これによって、燃焼を前記調整装置により精密に調整することを特徴とする、水平型のコークス室炉内で石炭を乾留するための方法。
【請求項２２】
前記二次空気通路から前記煙道ガス通路内への二次空気の流入を手動で調整する、請求項２１記載の方法。
【請求項２３】
前記二次空気通路から前記煙道ガス通路内への二次空気の流入を電気的にまたはニューマチック的に調整する、請求項２１記載の方法。
【請求項２４】
前記二次空気の電気的なまたはニューマチック的な流入調整をプロセスガイドシステムを介して制御する、請求項２３記載の方法。
【発明の詳細な説明】
【技術分野】
【０００１】
本発明は、水平型のコークス室炉内で石炭を乾留するための装置であって、水平方向のコークス室が、上側の部分に、乾留時に発生するガスの一部を燃焼させる一次空気を流入させるための開口を備えており、コークス炉室底の下方に、外部に対して閉鎖された１つまたはそれ以上の煙道ガス通路が位置しており、該煙道ガス通路が、乾留プロセスに基づく部分燃焼させられたガスを捕集しかつ別の空気、いわゆる「二次空気」によって完全燃焼させるようになっており、コークス炉室が、乾留プロセスに基づく部分燃焼させられたガスを導出するための、いわゆる「ダウンカマー」通路を有しており、該「ダウンカマー」通路が、側方のコークス炉室壁にまたはコークス炉室ドアにまたはコークスケーキに組み込まれており、「ダウンカマー」通路が、コークス炉室内室を煙道ガス通路に接続するようになっており、該煙道ガス通路の下方に、いわゆる「二次空気通路」が位置しており、該「二次空気通路」が、外気に接続されていて、煙道ガス通路に少なくとも１つの接続通路によって鉛直方向で接続されており、該接続通路が、乾留プロセスに基づく部分燃焼させられたガスを完全燃焼させる二次空気を流入させるために働くようになっており、煙道ガス通路が、コークス炉の外部に位置する煙道ガス集合管に接続されており、該煙道ガス集合管で煙道ガスが、コークス炉を取り囲む外側雰囲気に供給されるようになっている形式のものに関する。
【０００２】
さらに、本発明は、前述した形式の水平型のコークス室炉内で石炭を乾留するための方法であって、コークス室炉の上側の部分に設けられた開口を通してコークス室炉内に一次空気を流入させ、該一次空気によって、乾留時に発生したガスの一部を燃焼させ、部分燃焼させられたガスを「ダウンカマー」通路を介して、コークス炉室の下方に位置する煙道ガス通路内に案内し、該煙道ガス通路の下方に位置する二次空気通路内に別の空気、いわゆる「二次空気」を集め、そこから、１つまたはそれ以上の鉛直方向の接続通路を通して煙道ガス通路内に案内し、部分燃焼させられたガスを二次空気と煙道ガス通路内で混合しかつ完全燃焼させ、これによって、コークス炉室を下方から加熱して、水平型のコークス室炉内で石炭を乾留するための方法に関する。
【０００３】
本発明は、水平型のコークス室炉の煙道ガス通路の領域に二次的な燃焼空気を改善して供給するための装置に関する。煙道ガス通路内への二次的な燃焼空気の供給は二次空気通路によって行われる。この二次空気通路は、一般的に煙道ガス通路の下方に設けられている。本発明は、二次空気通路から煙道ガス通路の領域への二次空気の供給量を調整するための装置にも関する。煙道ガス通路内への二次空気の改善された供給および調整によって、「熱回収」型コークス室炉または「非回収」型コークス室炉における熱分配および乾留ガスの燃焼をより良好に調整することができる。
【０００４】
「熱回収」型または「非回収」型のコークス室炉は、たいてい、乾留が、水平方向に充填したい空気密に閉鎖されるコークス室内で実施されるように形成されている。乾留時には、副産物が発生する。この副産物は、慣用の水平型のコークス炉で捕集され、後続処理に供給される。副産物は、主として、一酸化炭素と、二酸化炭素と、より高い炭化水素とのガスから成っている。乾留熱の十分な供給を保証するために、慣用のコークス炉は、外部から供給された燃焼ガスの燃焼によって加熱されなければならない。「非回収」型または「熱回収」型のコークス化炉では、乾留過程の副産物が燃焼ガスとして使用され、これによって、乾留のために必要となる燃焼熱が発生させられる。全ての側からのコークスケーキの可能な限り均一な加熱を達成するためには、このコークスケーキの上方の乾留ガスの一部だけが燃焼させられ、部分燃焼させられた乾留ガスが、コークスケーキの下方で初めて、いわゆる「煙道ガス通路」内で完全燃焼させられる。
【０００５】
技術的にこのことは、炉室内のコークスケーキの上側の面が、化学量論を下回る量の空気の供給下での燃焼プロセスに基づき結果的に生じる熱伝達過程によって直接加熱されるように実施される。この場合に形成される乾留副産物は乾留ガスとしてガス集合室内に放出される。このガス集合室はコークスケーキの上方に位置していて、コークス室炉の充填時に充填されずに残される。コークス炉の天井または側方の壁には、開口が位置している。この開口によって、規定された量の空気、いわゆる「一次空気」をコークス炉の上側の部分に供給することができる。この一次空気によって、乾留ガスの部分量が燃焼させられ、これによって、この部分量がコークスケーキを上方から十分に加熱し、これによって、十分な乾留が保証される。一次空気を流入させるための開口は調整されていてもよいし、調整されていなくてもよい。調整される一次空気供給に対する１つの例が、国際公開第２００６１２８６１２号パンフレットに付与されている。
【０００６】
乾留の部分燃焼させられた乾留ガスは、コークス室炉壁またはコークス室炉ドアまたはコークスケーキ自体に収納されていてよい、いわゆる「ダウンカマー」通路内で煙道ガス通路に案内される。この煙道ガス通路はコークス炉室の下方に位置していて、ソールフリューとも呼ばれる。そこでは、部分燃焼させられた乾留ガスが、別の量の空気、いわゆる「二次空気」によって完全燃焼させられる。残りの乾留生成物の燃焼によって、コークスケーキが下方からも加熱される。なぜならば、煙道ガス通路内での二次空気によるこの後続の燃焼によって、かなりの熱が発生させられるからである。煙道ガス通路とコークス室との間の底部は比較的に肉薄に形成されており、これによって、煙道ガス通路からコークス室内への良好な熱移動が保証される。二次空気燃焼の熱を最適に使用するためには、煙道ガス通路がしばしばメアンダ状にコークス室底の下方に延びている。煙道ガス通路は一重に設けられていてよいものの、多重に設けられていてもよい。この場合、煙道ガス通路は全ての側で大気の周辺に対して閉鎖されている。煙道ガスは付加的な通路を介して煙道ガス煙突内に案内される。
【０００７】
燃焼に用いられる二次空気は下方から煙道ガス通路内に案内される。この煙道ガス通路の下方には、周辺への開口を有する二次空気通路が位置していて、低温の周辺空気を予熱しかつ供給された二次空気を１つまたはそれ以上の煙道ガス通路にわたって分配するために働く。二次空気は調整されて二次空気通路内に案内することができる。このためには、二次空気のための空気流入開口において二次空気通路の外側開口にフラップまたは弁が位置していてよい。この調整装置によって、供給される空気の化学量論をある程度コントロールすることができる。二次空気を調整するためには、このフラップまたは弁で恐らく十分であるにもかかわらず、この供給装置を介して低温の空気が二次空気通路ひいては煙道ガス通路に案内される。さらに、必要となる二次空気は煙道ガス通路内の全ての箇所に供給することができず、フラップの通流後、コークス室炉の下方に位置する煙道ガス通路の全ての箇所に調整されずに分配される。
【０００８】
したがって、「ダウンカマー」通路を介して空気を調整して乾留ガス内に供給する構造も存在する。米国特許第６１８７１４８号明細書には、水平型のコークス室炉が記載されている。このコークス室炉は、側方に据え付けられた「ダウンカマー」通路に設けられた開口を介して空気を「ダウンカマー」通路内に案内することができる。開口は調整装置を有しているので、コークス炉内での鉛直方向の熱勾配だけでなく、コークス炉室の内部のガス圧も制御することができる。しかし、コークス室底の下方の煙道ガス通路の内部での温度分布および熱勾配に意図的に影響を与え、これによって、コントロールされた二次燃焼に基づき、均一な面加熱が、加熱したいコークス床の下方に発生させられることは不可能となる。また、煙道ガス通路内での燃焼の化学量論をコントロールすることも不可能となる。
【０００９】
国際公開第２００６１０３０４３号パンフレットには、コークス炉構造が記載されている。このコークス炉構造は二次空気を二次空気通路から鉛直方向の接続通路を介して煙道ガス通路内に案内する。二次空気通路は、二次空気が、煙道ガス通路内の正確に選択された箇所にわたって分配されるように設けられている。こうして、二次空気が煙道ガス通路の一箇所に添加されず、この煙道ガス通路の全長にわたって添加される。このことは、原理的には、メアンダ状に延びる煙道ガス通路にわたって分配された任意の箇所で行うことができる。この場合、二次空気通路から煙道ガス通路への鉛直方向の接続通路の調整は、１回の燃焼を行うことができるように行われる。
【００１０】
二次空気通路の外側開口に設けられたフラップは空気流入を調整することができ、これによって、供給される二次空気の空気量を制御することができる。しかし、供給された二次空気の量を点状に分配することは不可能である。また、供給された二次空気量の量を煙道ガス通路の規定の箇所で制御することも不可能である。二次空気量の制御は、公知先行技術によれば、二次空気通路の外側開口に設けられたフラップを介してしか可能とならない。しかし、この手段によって、二次空気が、煙道ガス通路全体の長さにわたって調整されずに分配される。これによって、煙道ガス通路における幾つかの箇所に二次的な燃焼空気の過剰の供給が行われるのに対して、別の箇所は供給不足になる。その結果、供給された過剰量の二次的な燃焼空気を備えた箇所が過冷却または過熱されるかまたは不十分に供給された燃焼空気を備えた箇所で不完全燃焼が生じる。
【００１１】
したがって、課題は、二次的な燃焼空気を二次空気通路から煙道ガス通路のそれぞれ異なる点に調整して案内するシステムを提供することである。供給手段および調整手段は、二次空気通路と煙道ガス通路との間の個々の鉛直方向の接続通路を個々にまたは纏めて制御することができることが望ましい。供給手段および調整手段は手動で操作可能であることが望ましいものの、自動化可能であることも望ましい。二次的な燃焼空気を煙道ガス通路の全長にわたって正確な点で制御して供給することによって、煙道ガス通路内での熱分配を著しく良好に制御することができる。また、こうして、乾留ガスが別の箇所で不完全燃焼させられ、これによって、燃焼させられずに煙道ガス通路から流出させられることも阻止することができる。本発明によって、コークス床の下方の煙道ガス通路内で均一な二次的な面加熱が発生させられることが望ましい。この面加熱は、必要となる乾留プロセスの短縮を目的としていて、ひいては、「熱回収」型または「非回収」型の乾留法の経済性に役立つ。
【００１２】
この課題を解決するために本発明の装置では、煙道ガス通路と二次空気通路との間の少なくとも１つの鉛直方向の接続通路が、ガス流を煙道ガス通路と二次空気通路との間で修正しかつ調整する装置を備えており、煙道ガス通路の下方で調整可能な通気システムによって、調整可能な二次的な面加熱が可能になるようにした。
【００１３】
本発明による装置の有利な態様によれば、煙道ガス通路と二次空気通路との間に複数の鉛直方向の接続通路が位置しており、該接続通路が、ガス流を煙道ガス通路と二次空気通路との間で修正しかつ調整する装置を備えている。
【００１４】
本発明による装置の有利な態様によれば、煙道ガス通路への１つまたはそれ以上の鉛直方向の接続通路の開口が、高められて形成されているかまたは傾けられて形成されているかまたは斜め面取りされて形成されている。
【００１５】
本発明による装置の有利な態様によれば、煙道ガス通路と二次空気通路との間に位置する鉛直方向の接続通路が、１つの「ダウンカマー」通路の各流入開口の前方にまたは後方に０〜１ｍの間隔を置いて煙道ガス通路に開口している。
【００１６】
本発明による装置の有利な態様によれば、ガス流調整装置または調整装置が、煙道ガス通路と二次空気通路との間の鉛直方向の接続通路内に配置されておらず、二次空気通路の上方に配置された鉛直方向の各接続通路の流入横断面の下方の二次空気通路内に直接配置されている。
【００１７】
本発明による装置の有利な態様によれば、二次空気通路の下方にまたは側方に、煙道ガス通路に二次空気をより良好に供給するための別の二次空気通路が位置しており、該別の二次空気通路が、少なくとも１つの鉛直方向のまたは傾けられた接続通路に接続されている。
【００１８】
本発明による装置の有利な態様によれば、少なくとも１つの二次空気通路が、空気入口に、ガス通流量を調整する装置を有している。
【００１９】
本発明による装置の有利な態様によれば、煙道ガス通路が、互いに少なくとも１つの水平方向の通路に接続されている。
【００２０】
本発明による装置の有利な態様によれば、少なくとも１つの水平方向の通路が、煙道ガス通路の間で調整可能である。
【００２１】
本発明による装置の有利な態様によれば、１つまたはそれ以上の二次空気通路が、個々にコークス室底を貫いて案内されるようになっていて、各煙道ガス通路にただ１つの通路によって鉛直方向で接続されており、該通路が、個々に二次空気を煙道ガス通路内に流入させるようになっている。
【００２２】
本発明による装置の有利な態様によれば、少なくとも１つの鉛直方向の接続通路が、個々に延びる二次空気通路の間にまたは個々に延びる二次空気通路が、ガス流を煙道ガス通路と二次空気通路との間で修正しかつ調整する装置を備えている。
【００２３】
本発明による装置の有利な態様によれば、ただ１つの通路によって煙道ガス通路に接続された少なくとも１つの二次空気通路が、空気入口に、ガス通流量を調整する装置を有している。
【００２４】
本発明による装置の有利な態様によれば、ガス流を二次空気通路と煙道ガス通路との間で調整する装置が、石材から成っており、該石材が、所望の通流量に応じて、さらにガス通路内に押し込まれるようになっており、これによって、ガス通路の横断面が減少させられるかまたは拡張されるようになっている。
【００２５】
本発明による装置の有利な態様によれば、ガス流を二次空気通路と煙道ガス通路との間で調整する装置が、スツールから成っており、該スツールが、ガス通路に設けられた段部に載置されるようになっていて、ガスオリフィス絞りまたはガスフラップを有しており、該ガスオリフィス絞りまたは該ガスフラップが、ガス通流路内に押し込まれるようになっていて、これによって、ガス通路の横断面を所望の通流量に応じて減少させるかまたは拡張するようになっている。
【００２６】
本発明による装置の有利な態様によれば、ガス流を二次空気通路と煙道ガス通路との間で調整する装置が、スツールから成っており、該スツールが、スツールプレートに同心的に配置されて開口を有していて、二次空気通路内で水平方向に運動させられるようになっていて、スツールプレートによるガス通流量の減少または遮蔽のために、分岐した接続通路のガス通流路内に押し進められるようになっていて、中心の開口による開放のために、分岐した接続通路の分岐部の下方に押し進められるようになっていて、これによって、分岐した接続通路の横断面を所望の通流量に応じて減少させるかまたは拡張するようになっている。
【００２７】
本発明による装置の有利な態様によれば、ガス流を二次空気通路と煙道ガス通路との間で調整する装置が、開放された状態でガス案内する金属製の管から成っており、該管が、ガス通流に対して垂直な軸線を中心として回転可能な内側管を有しており、該内側管の回転運動によって、ガス流路が、徐々に開閉されるようになっている。
【００２８】
本発明による装置の有利な態様によれば、ガス流を調整する石材またはフラップが、懸架装置を有しており、該懸架装置によって、金属ロッドがガイドされるようになっており、該金属ロッドが、コークス炉室の外部から操作されるようになっており、これによって、調整する石材または調整するフラップが、ガス通路内に押し込まれるかまたはガス通路から引き出されるようになっており、これによって、ガス通流量が、修正されると共に調整されるようになっている。
【００２９】
本発明による装置の有利な態様によれば、ガス通流量を調整する装置が、ボーデンケーブルまたはリンク機構によって運動させられるようになっており、該ボーデンケーブルまたは該リンク機構が、外部から操作されるようになっており、これによって、ガス通流量が、修正されると共に調整されるようになっている。
【００３０】
本発明による装置の有利な態様によれば、ガス通流量を調整する装置を運動させる装置が、手動で操作するための装置を有している。
【００３１】
本発明による装置の有利な態様によれば、ガス通流量を調整する装置を運動させる装置が、電気的な作動モータと、該作動モータに結合された操作装置とを有している。
【００３２】
本発明による装置の有利な態様によれば、煙道ガス通路内にまたは二次空気通路内にまたは両通路の間に位置する接続通路内に、温度または酸素量または圧力に対する測定装置が位置している。
【００３３】
本発明による装置の有利な態様によれば、調整可能な鉛直方向の接続通路内に、ガス流を改善して添加するためのノズルが位置している。
【００３４】
本発明による装置の有利な態様によれば、調整可能な鉛直方向の接続通路内に、ガス流を改善して添加するための渦流発生エレメントが位置している。
【００３５】
さらに、前述した課題を解決するために本発明の方法では、二次空気を二次空気通路から調整装置によって調量して煙道ガス通路内に案内し、これによって、燃焼を調整装置により精密に調整するようにした。
【００３６】
本発明による方法の有利な態様によれば、二次空気通路から煙道ガス通路内への二次空気の流入を手動で調整する。
【００３７】
本発明による方法の有利な態様によれば、二次空気通路から煙道ガス通路内への二次空気の流入を電気的にまたはニューマチック的に調整する。
【００３８】
本発明による方法の有利な態様によれば、二次空気の電気的なまたはニューマチック的な流入調整をプロセスガイドシステムを介して制御する。
【００３９】
本発明は前記課題を、二次空気通路と１つまたはそれ以上の煙道ガス通路との間の少なくとも１つの鉛直方向の接続通路内に設けられる調整装置によって解決する。調整はコークス炉団の運転開始時に１回行うことができるものの、乾留プロセスの必要性および規則性に応じて連続的に行われてもよい。調整は二次空気通路と煙道ガス通路との間の１つの接続箇所で行うことができるものの、有利には、二次空気通路と煙道ガス通路との間の複数の接続箇所で行われてもよい。調整のための装置は制御を含んでいる。この制御は金属フラップ、組積造に設けられたフラップまたはスライドブリックを介して行うことができる。調整装置は手動で操作されてもよいし、電気的にまたはニューマチック的に操作されてもよい。これによって、調整装置を自動化することもできる。要求に応じて、煙道ガス通路を個々に制御するかまたは一緒に制御することが可能となる。
【００４０】
二次空気を煙道ガス通路内に点状に調量する二次空気量の前述した調整によって、１つの煙道ガス通路全体または複数の煙道ガス通路にわたる温度分布を制御することができる。これによって、たとえばコークス炉室底にわたって、一貫した温度分布を形成することができる。したがって、火炎分配も調整することができる。しかし、正確に調量された空気の供給によって燃焼を最適化し、これによって、乾留ガスの最適な使用を達成することも可能となる。これによって、全体的に石炭消費量をコークス炉室の運転期間にわたって著しく減少させることができる。また、こうして、コークス炉室底を全面にわたって任意に加熱し、有利にはコントロールして加熱する二次的な面加熱を行うことも可能となる。さらに、煙道ガス通路内に燃焼の間に生じ得る圧力差をより良好に補償することも可能となる。
【００４１】
特に水平型のコークス室炉内で石炭を乾留するための装置であって、
・水平方向のコークス室が、上側の部分に、乾留時に発生するガスの一部を燃焼させる一次空気を流入させるための開口を備えており、
・コークス炉室底の下方に、外部に対して閉鎖された１つまたはそれ以上の煙道ガス通路が位置しており、この煙道ガス通路が、乾留プロセスに基づく部分燃焼させられたガスを捕集しかつ別の空気、いわゆる「二次空気」によって完全燃焼させ、
・コークス炉室が、乾留プロセスに基づく部分燃焼させられたガスを導出するための、いわゆる「ダウンカマー」通路を有しており、この「ダウンカマー」通路が、側方のコークス炉室壁にまたはコークス炉室ドアにまたはコークスケーキに組み込まれており、「ダウンカマー」通路が、コークス炉室内室を煙道ガス通路に接続しており、
・この煙道ガス通路の下方に、いわゆる「二次空気通路」が位置しており、この「二次空気通路」が、外気に接続されていて、煙道ガス通路に少なくとも１つの接続通路によって鉛直方向で接続されており、この接続通路が、乾留プロセスに基づく部分燃焼させられたガスを完全燃焼させる二次空気を流入させるために働き、
・煙道ガス通路が、コークス炉の外部に位置する煙道ガス集合管に接続されており、この煙道ガス集合管で煙道ガスが、コークス炉を取り囲む外側雰囲気に供給される形式のものにおいて、
・少なくとも１つの煙道ガス通路と二次空気通路とが、ガス流を煙道ガス通路と二次空気通路との間で修正しかつ調整することができる装置を備えており、
・煙道ガス通路の下方で調整可能な通気システムによって、調整可能な二次的な面加熱が可能になることを特徴とする、水平型のコークス室炉内で石炭を乾留するための装置が請求される。
【００４２】
この場合、二次空気通路と煙道ガス通路との間の調整可能な鉛直方向の接続通路の数は任意であってよい。任意に多数の接続通路のうち、ただ１つの接続通路を調整可能に形成することが可能となる。しかし、複数の接続通路を調整可能に形成することが可能である。さらに、二次空気通路と煙道ガス通路との間の全ての鉛直方向の接続通路を調整可能に形成することも可能である。
【００４３】
煙道ガス通路は任意に形成されていてよい。コークス室炉底の下方にメアンダ状に延びる１つの通路が有利である。この通路は外部に対して閉鎖されていて、排ガスを、このために設けられた別の排ガス通路内に案内する。しかし、複数の煙道ガス通路も可能である。したがって、これらの煙道ガス通路が水平方向の接続通路を備えていることも可能となる。この場合、この水平方向の接続通路も任意に形成されていてよい。煙道ガス通路の間の水平方向の接続通路は調整可能であってもよい。
【００４４】
煙道ガス通路と二次空気通路との間の本発明による鉛直方向の接続通路も任意に形成されていてよい。こうして、この鉛直方向の接続通路を垂直に煙道ガス通路内に案内することが可能となる。しかし、鉛直方向の接続通路を高めてまたは傾けてまたは斜め面取りして煙道ガス通路内に案内することも可能である。二次空気通路から煙道ガス通路内への調整されたガス流が可能となることが重要である。
【００４５】
鉛直方向の接続通路は煙道ガス通路または二次空気通路に任意に位置決めされていてもよい。有利には、鉛直方向の接続通路は、煙道ガス通路と二次空気通路とを規則的な間隔を置いて接続する。鉛直方向の接続通路が、側方で流入する「ダウンカマー」通路から規則的な間隔を置いて煙道ガス通路に位置決めされると特に有利である。この場合、部分燃焼させられた乾留ガスと二次空気との特に良好な十分な混合が可能となる。側方で流入する「ダウンカマー」通路からの鉛直方向の接続通路の特に有利な間隔は、０〜１メートルの間隔である。
【００４６】
二次空気通路の形式および数も変更されてよい。したがって、たとえば複数のソールフリューと開口とを備えた第１の二次空気通路の下方に、複数のソールフリューと開口とを備えた第２の二次空気通路が位置していてもよい。二次空気通路は個々に案内されてもよいし、１つの外側開口を備えた多重の構成で案内されてもよい。二次空気通路は互いに接続されていてもよいし、調整可能に接続されていてもよい。このことは、一重にまたは多重に設計されてもよい。二次空気通路は任意の個数でかつ任意の組合せで設けられていてよい。二次空気通路は外側の空気入口に空気流入調整装置としてのフラップまたは弁を備えていてよい。
【００４７】
したがって、たとえば、それぞれ個々に１つまたはそれ以上の煙道ガス通路に接続されているものの、互いに接続されていない複数のまたは多数の個々の二次空気通路を煙道ガス通路の下方に案内することも可能となる。互いに接続されずに個々に煙道ガス通路に接続されているものの、ただ１つしか調整可能でない二次空気通路だけを設けることも可能である。さらに、任意の組合せで互いに接続されていて、任意の組合せで煙道ガス通路に接続された、任意の個数が調整可能である二次空気通路を設けることも可能である。
【００４８】
煙道ガス通路と二次空気通路との間の鉛直方向の接続通路は、本発明による装置の構成に対して、ガス通流路内で調整可能である。しかし、接続通路を調整するための装置を接続通路内に直接位置決めせず、二次空気通路の上方に配置された鉛直方向の各接続通路の流入横断面の下方の二次空気通路内に位置決めすることも可能である。
【００４９】
さらに、調整装置は種々異なる形式で形成することができる。１つの簡単な調整装置は、たとえばスライドブリックである。このスライドブリックは組積造に挿入されている。スライドブリックは、開口の程度に応じて、ガス通流される通路内に挿入することができる。移動可能な壁突出部または金属フラップを使用することも可能である。この場合、この金属フラップは、有利には耐熱性の金属から形成されていることが望ましい。しかし、調整装置は管片から形成されていてもよい。この管片はガス流を、開放された位置で収容し、ガス流に対して垂直な軸線を中心として回動することができ、これによって、ガス流を減少させる。必要に応じて、管片が回動させられ、完全な回動時には、ガス流が遮断される。高い温度で使用することができる限り、ボールバルブも適している。
【００５０】
特に有利には、スツール構造体が使用されてもよい。このスツール構造体は二次空気通路と煙道ガス通路との間の接続通路内に配置されている。この場合、スツールは、二次空気通路と煙道ガス通路との間の接続通路の突出部内に装着されている。スツールには、フラップを備えた開口が配置されている。フラップは開口度に応じて引き出されてもよいし、開口内に押し込まれてもよい。しかし、スツールは二次空気通路自体内で水平方向に運動させられてもよく、これによって、鉛直方向の接続通路ひいては煙道ガス通路へのガス通流量に影響が与えられる。したがって、スツールが、スツールプレートに同心的に配置された開口を備えていることが可能となる。ガス通流路の完全な開放時には、同心的な開口が、鉛直方向の接続通路の分岐部の下方に押し進められる。その後、ガス通流路の遮断のためには、スツールが、閉鎖するスツールプレートによって分岐部の下方に押し進められる。
【００５１】
調整装置の調整は種々異なる形式で実施されてよい。簡単な構成では、金属ロッドが挙げられる。この金属ロッドは、組積造に設けられた懸架手段またはスツールに取り付けられている。この場合、金属ロッドの運動によって、組積造またはスツールを所望のガス流に応じて移動させることができる。この場合、コークス室底には、二次空気通路の側方にまたは上方に、組積造に設けられた通路が位置している。この通路は金属ロッドをガイドのために収容している。
【００５２】
しかし、調整装置はケーブルまたはチェーンに結合されていてもよい。このチェーンは耐熱性に支承され、たとえば変向ローラを介して操作機構を備えている。しかし、たとえばリンク機構を使用することも可能である。このリンク機構は、有利には耐熱性に形成されている。制御装置を案内するためには、コークス炉室底が、有利には、二次空気通路の経過の側方に位置する通路を有している。この通路内には、ボーデンケーブルまたはリンク機構が位置している。この場合、案内通路は、調整可能な本発明による接続通路の側方に、調整装置を操作することができる分岐部を有している。
【００５３】
さらに、調整装置は、煙道ガス通路の天井が、移動可能な耐火性のセグメントの形で設計されているように形成されてもよい。このセグメントは移動させることができ、これによって、この場合、開口の位置が煙道ガス通路に移動させられる。セグメントの下方には、二次空気通路をより良好にカバーする張出し部が位置している。この態様は、特に開口が運転開始前にしか調整されない場合に適している。この場合、二次空気通路をカバーする石材は、運転開始前に所望の位置に設置される。このためには、煙道ガス通路の前側のカバーが取り外されてもよい。
【００５４】
鉛直方向の接続通路が調整装置の前方にまたは後方にノズルまたは渦流発生エレメントを備えていることが可能である。このノズルまたは渦流発生エレメントによって、ガス通流量をより良好に十分に混合することができる。しかし、ガス流の堰止めを使用する、ガス流を緩速化させるための装置も適している。
【００５５】
本発明による調整装置を備えたコークス室炉は任意に形成されていてよい。有利には、「非回収」型または「熱回収」型のコークス炉が挙げられる。このコークス炉は二次空気加熱の任意のシステムを備えていてよい。煙道ガス通路は、コークス炉室に沿ってメアンダ状であるものの、長手方向に横方向接続部を備えてコークス炉室の下方で案内されてよい。煙道ガス通路は横方向に案内されていて、長手方向接続部を備えていてもよい。煙道ガス通路から導出する廃空気煙突または廃空気煙突に接続された管片は煙道ガス通路に任意の箇所で位置していてよい。「ダウンカマー」通路も任意の位置に位置してよい。この「ダウンカマー」通路は、たとえば側方に設けられていてよい。この「ダウンカマー」通路の数も変更することができる。したがって、ダウンカマー通路の数が６つまたはそれ以上であってよい。しかし、ただ１つまたは２つの「ダウンカマー」通路も可能である。
【００５６】
本発明は、水平型のコークス室炉内で石炭を乾留する方法であって、
・コークス室炉の上側の部分に設けられた開口を通してコークス室炉内に一次空気を流入させ、この一次空気によって、乾留時に発生したガスの一部を燃焼させ、
・部分燃焼させられたガスを「ダウンカマー」通路を介して、コークス炉室の下方に位置する煙道ガス通路内に案内し、
・この煙道ガス通路の下方に位置する二次空気通路内に別の空気、いわゆる「二次空気」を集め、そこから、１つまたはそれ以上の鉛直方向の接続通路を通して煙道ガス通路内に案内し、
・部分燃焼させられたガスを二次空気と煙道ガス通路内で混合しかつ完全燃焼させ、これによって、コークス炉室を下方から加熱して、水平型のコークス室炉内で石炭を乾留する方法において、
・煙道ガス通路と二次空気通路との間の少なくとも１つの鉛直方向の接続通路が、ガス流を煙道ガス通路と二次空気通路との間で修正しかつ調整することができる装置を備えていることを特徴とする、水平型のコークス室炉内で石炭を乾留するための方法に関する。
【００５７】
１つの簡単な態様では、調整装置が運転の開始時にしか操作されない。このような操作は、たとえば組積造に設けられた切欠きからの手動での移動またはコークス炉底に設けられた緩い煉瓦によって可能となる。この煉瓦を、コークス室底内で二次空気通路の側方に位置する通路を通してリンク機構によって制御することも可能である。管内のフラップを所望の開放度に応じて開閉するチェーンも可能である。さらに、たとえばニューマチック的に操作される調整装置を本発明による接続通路に対して設けることも可能である。このためには、この場合、耐熱性の空気通路がコークス室底に位置している。
【００５８】
本発明による鉛直方向の接続通路に対する調整装置は、手動で操作されてもよいし、電気的に操作されてもよい。この場合、簡単な装置のためには、たとえばリンク機構も考慮される。このリンク機構は手動で操作することができる。このことは、たとえば１回の乾留過程の初期に１回実施することができる。しかし、このことは、運転の開始時に行われてもよいし、１回の乾留サイクルの間に連続的に行われてもよい。仮に手間がかかるとしても特に効率的な態様では、作動装置が電気的に操作され、自動化されたシステムによって制御される。これは、たとえばプロセスガイドシステムであってよい。このためには、適切な制御パラメータを検出するために、二次空気通路、煙道ガス通路または本発明による接続通路に測定プローブが位置していてよい。これは、たとえば燃焼ガスにおける温度、圧力または酸素含有量を測定するためのセンサであってよい。
【００５９】
この場合、コークス炉団を加熱する煙道ガス通路内の酸素含有量は、本発明による通路を介して良好に制御することができる。燃焼ガス内の酸素の割合は、空気過剰率値（λ値）として定義することができる。化学量論的な酸素比の場合には、１回の燃焼のラムダ値が１である。化学量論を下回る酸素比（燃焼のために必要となる酸素よりも少ない酸素が空気内に存在している）の場合には、ラムダ値が１よりも少ない。化学量論を上回る比（燃焼のために必要となる酸素よりも多くの酸素が空気内に存在している）では、ラムダ値が１を上回っている。コークスケーキの上方のガス集合室内では、ラムダ値が、本発明の適正な構成では、０．３〜０．８である。乾留ガスは単に不完全燃焼させられる。多くの二次空気が供給される二次通路室内では、ラムダ値が１．０〜１．７であることが望ましい。こうして、乾留熱の生成に対する乾留ガスの最適な使用が行われる。
【００６０】
前述した装置は、煙道ガス通路内への二次空気の供給に対する効率的な調整の利点を提供する。本発明は、多くの可能な変化態様に使用することができる。測定システムと、案内システムと、調整システムとを備えた極めて要求の多い構成だけでなく、リンク機構と煉瓦とを備えた簡単な構成も可能である。前述した装置と、この装置で使用される、コークス炉の煙道ガス通路を通気するための方法とによって、コークス室炉の温度分配を、特に乾留プロセスに対する測定・案内システムに相俟って極めて均一に行うことができる。本発明による装置と、この装置に相俟った方法とによって、煙道ガス通路内の圧力状況の最適化と、火炎分配の最適化とが可能となる。これによって、コークス石炭の著しく良好な使用と、コークス品質の最適化とが達成される。
【図面の簡単な説明】
【００６１】
【図１】水平型のコークス室炉の正面図である。
【図２】水平型のコークス室炉の正面図である。
【図３】コーク室炉底の下方の断面図としての煙道ガス通路を上方から見た図である。
【図４】コーク室炉底の下方の断面図としての煙道ガス通路を上方から見た図である。
【図５】コーク室炉底の下方の断面図としての煙道ガス通路を上方から見た図である。
【図６】水平型のコークス室炉の側面図である。
【図７】水平型のコークス室炉の側面図である。
【図８】煙道ガス通路と二次空気通路との間の接続通路に対する調整装置を示す図である。
【図９】煙道ガス通路と二次空気通路との間の接続通路に対する調整装置を示す図である。
【００６２】
本発明による装置を６つの図面につき説明する。これらの図面は、本発明による装置の構造に対する実施の形態でしかない。
【００６３】
図１には、水平型のコークス室炉１が示してある。このコークス室炉１の前側の開口は、開放機構２ａを備えたコークス炉室ドア２によって閉鎖される。このコークス炉室ドア２の下方には、コークスケーキ３が図示してある。このコークスケーキ３の上方には、ガス集合室４が位置している。このガス集合室４には、乾留ガスを集めることができる。側方の開口５を通して、乾留ガスが「ダウンカマー」通路６内に案内される。側方の開口５と「ダウンカマー」通路６との間に調整装置７を組み付けることが可能である。また、コークス炉天井８に、付加的な空気を供給するための開口９が位置していてもよい。乾留ガスは「ダウンカマー」６を通って引き続き煙道ガス通路１０内に案内される。この煙道ガス通路１０では、二次空気による乾留ガスの完全燃焼が行われる。煙道ガス通路１０の上方には、コークスケーキ３が位置している。このコークスケーキ３は、煙道ガス通路１０内での燃焼によってコークス炉室底を通して加熱される。煙道ガス通路は、水平方向の接続通路１０ａを介して接続することができる。乾留ガスを完全燃焼させるための二次空気は二次空気通路１２を介して供給される。この二次空気通路１２は煙道ガス通路１０の下方に位置している。二次空気通路１２は開口を前方に有している。この開口は調整されていてもよいし、調整されていなくてもよい。この開口を通って、空気が二次空気通路１２内に流入する。この二次空気通路から、空気が鉛直方向の接続通路１３を介して煙道ガス通路１０内に流入する。本発明によれば、少なくとも１つの接続通路が調整装置１４を有している。図面には、全ての接続通路が１つの調整装置を備えて示してある。空気通流量に対する調整装置１４のほかに、制御装置１５が見られる。この制御装置１５は、ここでは、制御通路１５に設けられたリンク機構１５ａとして形成されている。この場合、煙道ガス通路１０内では、二次空気による正確に調整された燃焼が行われる。
【００６４】
図２には、水平型のコークス室炉１が同じく正面図で示してある。第１の図面（図１参照）に示したコークス室炉に対して付加的に、このコークス室炉１は、第１の二次空気通路アッセンブリ１２の下方に設けられた別の二次空気通路１６を有している。この二次空気通路１６は第１の二次空気通路アッセンブリ１２に鉛直方向の通路１７によって接続されていてよく、調整装置１４ｄ，１８を有していてよい。この調整装置は、ここでは、移動することができるスツール状の装置として形成されている。
【００６５】
図３には、コークス室炉１の煙道ガス通路アッセンブリが平面図で示してある。この煙道ガス通路アッセンブリは、加熱の最適化のために、コークス室炉底に沿ってメアンダ状にこのコークス室炉底の下方に延びている。二次空気は、図平面の下方に位置する二次空気通路から到来する。二次空気は、空気流に対する開放された調整装置１４ａまたは半分開放された調整装置１４ｂを介して二次空気通路から流出することができる。閉鎖された調整装置１４ｃによって、このことは不可能となる。側方に位置する「ダウンカマー」通路６から、部分燃焼させられた乾留ガスが到来する。煙道ガス流１９は集合管または集合通路２０を介して煙道ガス煙突２１内に案内される。
【００６６】
図４には、コークス室炉１の煙道ガス通路アッセンブリ１０が平面図で示してある。この煙道ガス通路アッセンブリ１０は、加熱の最適化のために、コークス室炉底に沿ってメアンダ状にこのコークス室炉底の下方に延びている。二次空気は、図平面の下方に位置する二次空気通路１２から到来する。この二次空気通路１２は、ここでは、両側から煙道ガス通路の全長にわたる種々異なる箇所に案内される。各二次空気通路に対して、煙道ガス通路への鉛直方向の多数の接続通路が存在している。これらの接続通路は、ここでは、多数の箇所で個々に調整することができる。幾つかの調整装置１４ａは開放されており、別の調整装置１４ｃは半分開放されており、さらに別の調整装置１４ｂは閉鎖されている。接続通路は実際にあらゆる組合せまたは数で煙道ガス通路に設けることができる。側方に位置する「ダウンカマー」通路６から、部分燃焼させられた乾留ガスが到来する。煙道ガス流１９は集合管２０を介して煙道ガス煙突２１内に案内される。
【００６７】
図５には、コークス室炉１の煙道ガス通路アッセンブリ１０が平面図で示してある。この煙道ガス通路アッセンブリ１０は、加熱の最適化のために、コークス室炉底に沿ってメアンダ状にこのコークス室炉底の下方に延びている。二次空気通路１３は、石材の形のセグメント１３ａによって上方でカバーされている。二次空気を煙道ガス通路１２内に流入させたい開口１３ｂしか開放されていない。この開口は、鉛直方向の接続通路の調整ユニットを形成している。セグメントは下向きに膨出させられていてよく、これによって、より良好なシールが達成される。さらに、セグメントは上方に、移動のための懸架手段を有していてよい。
【００６８】
図６には、水平型のコークス室炉１が側面図で示してある。コークスケーキ３の乾留はコークス炉室内で実施される。乾留ガスはコークスケーキ３の上方のガス集合室４内に流入する。ここでは、コークス炉室天井２２に設けられた開口を介して流入させられた一次空気による部分燃焼後、部分燃焼させられた乾留ガスが、コークス炉室壁に設けられた側方の開口５を介して「ダウンカマー」通路６内に流入する。この「ダウンカマー」通路６は、部分燃焼させられた乾留ガスを煙道ガス通路１０内に下向きで完全燃焼のために案内する。このために必要となる二次空気２３は周辺から、調整可能であってよい開口２４を介して二次空気通路１２内に流入する。この二次空気通路から、二次空気が鉛直方向の接続通路１３を介して煙道ガス煙突２１内に案内される。鉛直方向の接続通路１３内には、調整装置が位置している。この調整装置は、ここでは、開放されて（符号１４ａ）図示されているかまたは閉鎖されて（符号１４ｂ）図示されている。調整可能な鉛直方向の接続通路１３によって、コークス炉室底１１における熱分配をより均一に行うことができ、煙道ガス通路１０内での燃焼をより良好に制御することができる。煙道ガス流１９は煙道ガス集合管２０を介して煙道ガス煙突２１内に案内される。
【００６９】
図７には、水平型のコークス室炉１が側面図で示してある。煙道ガス通路への鉛直方向の接続通路の開口が、ここで再度明瞭に示してある。煙道ガス通路への鉛直方向の接続通路の開口は、「ダウンカマー」通路６の側方の開口６ａから規則的な間隔２６を置いて行われている。二次空気通路から煙道ガス通路への鉛直方向の接続通路１３の側方の開口は、「ダウンカマー」通路６の側方の開口６ａから、有利には０〜１ｍの間隔２６を置いて位置している。
【００７０】
図８には、二次空気通路と煙道ガス通路との間の空気通流量を調整するための本発明による装置が示してある。この調整のための装置は、ここでは、たとえばスツール状の装置として形成されている。このスツール状の装置は、スツールプレート１４ｄの中心に同心的に開口１４ｅを有している。装置は、ここでは、開放された状態で示してある。空気の通流は、開口１４ｅを通してしか可能とならない。スツールは、閉鎖のために、スツールプレートで鉛直方向の接続通路への分岐部１４ｆにわたって被せられる。これは、たとえばチェーンである。このチェーンは変向ローラを介して引張り機構に結合されている。引張りは、たとえばリンク機構１５ｂによって行われる。このリンク機構１５ｂはスツールに取り付けられている。
【００７１】
図９には、二次空気通路と煙道ガス通路との間の空気通流量を調整するための本発明による装置１４が示してある。この装置は、ここでは、管部分片１４ｇの形で形成されている。この管部分片１４ｇはガス通流量の調整のために回動させられる。開放された位置では、ガスが管片１４ｈの横断面を通流する。水平な方向への管片の回動運動によって、ガス通流の横断面がますます狭められ、その後、ガス流が最終的に完全に遮蔽される。
【符号の説明】
【００７２】
１  コークス室炉
２  コークス炉室ドア
２ａ  コークス炉室ドアに対する運動装置
３  コークスケーキ
４  ガス集合室
５  乾留ガスに対する側方の開口
６  「ダウンカマー」通路
６ａ  「ダウンカマー」通路の側方の開口
７  「ダウンカマー」通路内へのガス流に対する調整装置
８  コークス室炉天井
９  付加的な一次空気に対する開口
１０  煙道ガス通路
１１  コークス室炉底
１２  二次空気通路
１３  二次空気通路と煙道ガス通路との接続通路
１３ａ  煙道ガス通路を下向きにカバーするための石材セグメント
１３ｂ  二次空気通路を上方に接続するための開口
１４  接続通路に対する調整装置
１４ａ  接続通路に対する開放された調整装置
１４ｂ  接続通路に対する閉鎖された調整装置
１４ｃ  接続通路に対する半分開放された調整装置
１４ｄ  二次空気通路内の調整装置としてのスツール
１４ｅ  スツールに設けられた開口
１４ｆ  鉛直方向の接続通路の分岐部
１４ｇ  遮蔽のための装置としての管部分片
１４ｈ  管部分片の横断面
１５  接続通路に対する調整装置の制御手段
１５ａ  調整装置の制御手段
１５ｂ  開閉のためのチェーン
１６  別の二次空気通路のアッセンブリ
１７  二次空気通路の間の鉛直方向の接続通路
１８  二次空気通路の間の接続通路に対する調整装置
１９  煙道ガス流
２０  煙道ガスに対する集合管
２１  煙道ガス煙突
２２  炉天井に設けられた、一次空気に対する調整可能な開口
２３  二次空気流
２４  二次空気通路内への二次空気の流入に対するフラップ
２５  側方のコークス炉室壁
２６  接続通路と「ダウンカマー」通路との間の間隔
【図１】
0005570431.tif 000002
【図２】
0005570431.tif 000003
【図３】
0005570431.tif 000004
【図４】
0005570431.tif 000005
【図５】
0005570431.tif 000006
【図６】
0005570431.tif 000007
【図７】
0005570431.tif 000008
【図８】
0005570431.tif 000009
【図９】
0005570431.tif 000010